(57)【特許請求の範囲】
【請求項１】
一表面側に複数の外部接続用電極を有するセンサ素子と、センサ素子の出力信号を信号処理する信号処理回路が形成されたＩＣチップでありセンサ素子の平面サイズよりも大きな平面サイズのＩＣチップと、一表面側にＩＣチップがフリップチップ実装されるとともに、他表面側に各外部接続用電極それぞれが電気的に接続される複数のセンサ接続用電極を有し前記他表面側におけるＩＣチップの投影面内でセンサ素子がフリップチップ実装される実装基板と、実装基板の前記一表面とＩＣチップとの間に介在するアンダーフィルとを備え、センサ素子と実装基板とは、接続関係が規定された外部接続用電極とセンサ接続用電極との組ごとに実装基板の厚み方向において重なる複数のバンプを介して接合されてなるセンサモジュールの製造方法であって、ＩＣチップと実装基板の前記一表面との間にアンダーフィル用樹脂材を介在させた形でＩＣチップに対して加熱および荷重の印加を行うことでＩＣチップを実装基板の前記一表面側にフリップチップ実装するのと同時にアンダーフィル用樹脂材を熱硬化させてアンダーフィルを形成する第１の実装工程と、第１の実装工程の後に実装基板の前記他表面側でセンサ素子の外部接続用電極とセンサ接続用電極とを実装基板の厚み方向において重なる複数のバンプを介して接合することでセンサ素子を実装基板にフリップチップ実装する第２の実装工程とを備えることを特徴とするセンサモジュールの製造方法。
【請求項２】
第２の実装工程では、センサ素子と実装基板とを、外部接続用電極およびセンサ接続用電極それぞれの表面上に形成したバンプを介して接合することを特徴とする請求項１記載のセンサモジュールの製造方法。
【請求項３】
第２の実装工程では、センサ素子と実装基板とを、外部接続用電極とセンサ接続用電極との一方の表面側で実装基板の厚み方向において重なるように形成した複数のバンプを介して接合することを特徴とする請求項１記載のセンサモジュールの製造方法。
【請求項４】
第２の実装工程では、センサ素子と実装基板とを、常温接合することを特徴とする請求項１ないし請求項３のいずれかに記載のセンサモジュールの製造方法。
【発明の詳細な説明】
【技術分野】
【０００１】
本発明は、センサ素子とセンサ素子が実装される実装基板とを備えたセンサモジュールの製造方法に関するものである。
【背景技術】
【０００２】
従来から、図２０に示すように、ＭＥＭＳ（Micro  Electro  Mechanical  System）チップである加速度センサチップ１０１と、一面が開放された箱状であって内底面に加速度センサチップ１０１が実装される実装基板１０５と、実装基板１０５の上記一面を閉塞する蓋体１０６とを備えたセンサモジュールが提案されている（例えば、特許文献１，２参照）。
【０００３】
図２０に示した構成のセンサモジュールは、加速度センサチップ１０１の主表面側において加速度センサチップ１０１から離間し当該加速度センサチップ１０１の重り部１１２の過度な変位を規制するストッパ１０２を備え、加速度センサチップ１０１の主表面側の複数のパッド（図示せず）それぞれがボンディングワイヤ（図示せず）を介して実装基板の端子パターン（図示せず）と電気的に接続されている。ここで、加速度センサチップ１０１は、矩形枠状のフレーム部１１１の内側に配置される重り部１１２が４つの撓み部１１３を介してフレーム部１１１に支持されており、フレーム部１１１上に上記各パッドが形成されている。なお、上記特許文献２には、ストッパ１０２として、加速度センサチップ１０１の出力信号を信号処理する信号処理回路が形成されたＩＣチップを利用することも記載されている。
【０００４】
ところで、ＭＥＭＳとしては、加速度センサやジャイロセンサなどが広く知られており、加速度センサとしては、加速度が印加されたときのピエゾ抵抗からなるゲージ抵抗のひずみによる抵抗値の変化により加速度を検出するピエゾ抵抗形の加速度センサや、加速度が印加されたときの固定電極と可動電極との間の静電容量の変化により加速度を検出する容量形の加速度センサなどが知られている。
【０００５】
ピエゾ抵抗形の加速度センサとしては、矩形枠状のフレーム部の内側に配置される重り部が一方向へ延長された撓み部を介してフレーム部に揺動自在に支持された片持ち式のものや、枠状のフレーム部の内側に配置される重り部が相反する２方向へ延長された一対の撓み部を介してフレーム部に揺動自在に支持された両持ち式のものなどが提案されており、近年では、枠状のフレーム部の内側に配置される重り部が四方へ延長された４つの撓み部を介してフレーム部に揺動自在に支持され、互いに直交する３方向それぞれの加速度を各別に検出可能なものも提案されている（例えば、特許文献３，４参照）。
【０００６】
なお、上述のピエゾ抵抗形の加速度センサでは、重り部および撓み部が可動部を構成し、ピエゾ抵抗がセンシング部を構成している。また、容量形の加速度センサ（例えば、特許文献５参照）やジャイロセンサ（例えば、特許文献６参照）では、可動電極を設けた重り部や可動電極を兼ねる重り部などが可動部を構成しており、固定電極と可動電極とによりセンシング部を構成している。
【特許文献１】特開２００４−２１２２４６号公報
【特許文献２】特開２００５−１６９５４１号公報
【特許文献３】特開２００４−１０９１１４号公報
【特許文献４】特開２００４−２３３０７２号公報
【特許文献５】特開２００４−０２８９１２号公報
【特許文献６】特開２００５−２９２１１７号公報
【発明の開示】
【発明が解決しようとする課題】
【０００７】
しかしながら、図２０に示した構成のセンサモジュールでは、ストッパ１０２と加速度センサチップ１０１とを接着剤により接着しているので、接着剤の収縮などによる応力の影響を受けてセンサ特性が変化しやすいという不具合があった。また、加速度センサチップ１０１の主表面側の上記各パッドと実装基板１０５の上記各端子パターンとを上記ボンディングワイヤを介して電気的に接続しているので、実装基板１０５の平面サイズが比較的大きくなってしまい、プリント基板などの回路基板などへの実装面積が大きくなってしまうという不具合があった。
【０００８】
そこで、加速度センサチップの主表面側および裏面側それぞれにパッケージ用基板を接合したセンサ素子の一表面側の外部接続用電極と、実装基板においてセンサ素子の投影面内に設けられたセンサ接続用電極とをバンプを介して電気的に接続する（つまり、センサ素子を実装基板にフリップチップ実装する）ようにしたセンサモジュールが提案されているが、センサ素子と実装基板との線膨張率差や実装基板と回路基板との線膨張率差などに起因した応力などがセンサ素子へ伝達されてセンサ素子のセンサ特性が変動してしまうことがあった。
【０００９】
本発明は上記事由に鑑みて為されたものであり、その目的は、回路基板への実装面積をより小さくすることができ且つ実装基板や回路基板からセンサ素子へ伝達される応力を低減することができるセンサモジュールの製造方法を提供することにある。
【課題を解決するための手段】
【００１０】
請求項１の発明は、一表面側に複数の外部接続用電極を有するセンサ素子と、センサ素子の出力信号を信号処理する信号処理回路が形成されたＩＣチップでありセンサ素子の平面サイズよりも大きな平面サイズのＩＣチップと、一表面側にＩＣチップがフリップチップ実装されるとともに、他表面側に各外部接続用電極それぞれが電気的に接続される複数のセンサ接続用電極を有し前記他表面側におけるＩＣチップの投影面内でセンサ素子がフリップチップ実装される実装基板と、実装基板の前記一表面とＩＣチップとの間に介在するアンダーフィルとを備え、センサ素子と実装基板とは、接続関係が規定された外部接続用電極とセンサ接続用電極との組ごとに実装基板の厚み方向において重なる複数のバンプを介して接合されてなるセンサモジュールの製造方法であって、ＩＣチップと実装基板の前記一表面との間にアンダーフィル用樹脂材を介在させた形でＩＣチップに対して加熱および荷重の印加を行うことでＩＣチップを実装基板の前記一表面側にフリップチップ実装するのと同時にアンダーフィル用樹脂材を熱硬化させてアンダーフィルを形成する第１の実装工程と、第１の実装工程の後に実装基板の前記他表面側でセンサ素子の外部接続用電極とセンサ接続用電極とを実装基板の厚み方向において重なる複数のバンプを介して接合することでセンサ素子を実装基板にフリップチップ実装する第２の実装工程とを備えることを特徴とする。
【００１１】
この発明によれば、第２の実装工程において実装基板の前記他表面側でセンサ素子の外部接続用電極とセンサ接続用電極とを実装基板の厚み方向において重なるバンプを介して接合する際には、ＩＣチップと実装基板との間にアンダーフィルが介在しているので、センサ素子への荷重の印加時にＩＣチップが破損したりＩＣチップと実装基板との接続信頼性が低下するのを防止することができるとともに、センサ素子と実装基板との接続信頼性を高めることができる。また、センサ素子が実装基板にフリップチップ実装されるので、実装基板の平面サイズの小型化を図れ、しかも、センサ素子と実装基板とは、接続関係が規定された外部接続用電極とセンサ接続用電極との組ごとに実装基板の厚み方向において重なる複数のバンプを介して接合されるので、実装基板や回路基板からセンサ素子へ伝達される応力を低減することができる。
【００１２】
請求項２の発明は、請求項１の発明において、第２の実装工程では、センサ素子と実装基板とを、外部接続用電極およびセンサ接続用電極それぞれの表面上に形成したバンプを介して接合することを特徴とする。
【００１３】
この発明によれば、外部接続用電極およびセンサ接続用電極それぞれとバンプとの接合信頼性を高めることができる。
【００１４】
請求項３の発明は、請求項１の発明において、第２の実装工程では、センサ素子と実装基板とを、外部接続用電極とセンサ接続用電極との一方の表面側で実装基板の厚み方向において重なるように形成した複数のバンプを介して接合することを特徴とする。
【００１５】
この発明によれば、請求項２の発明に比べて、重ね合わせるバンプ同士の位置合わせが容易になる。
【００１６】
請求項４の発明は、請求項１ないし請求項３の発明において、第２の実装工程では、センサ素子と実装基板とを、常温接合することを特徴とする。
【００１７】
この発明によれば、センサ素子と実装基板との線膨張率差に起因した応力をより低減できる。
【発明の効果】
【００１８】
請求項１の発明では、第２の実装工程において実装基板の前記他表面側でセンサ素子の外部接続用電極とセンサ接続用電極とを実装基板の厚み方向において重なるバンプを介して接合する際には、ＩＣチップと実装基板との間にアンダーフィルが介在しているので、センサ素子への荷重の印加時にＩＣチップが破損したりＩＣチップと実装基板との接続信頼性が低下するのを防止することができるとともに、センサ素子と実装基板との接続信頼性を高めることができる。また、回路基板への実装面積をより小さくすることができ且つ実装基板や回路基板からセンサ素子へ伝達される応力を低減することができるという効果がある。
【発明を実施するための最良の形態】
【００１９】
（実施形態１）
本実施形態のセンサモジュールについて図１〜図１７を参照しながら説明する。
【００２０】
本実施形態のセンサモジュールは、加速度センサモジュールであり、加速度センサエレメントからなるセンサ素子Ａと、センサ素子Ａの出力信号を信号処理する信号処理回路が形成されたＩＣチップ４と、センサ素子ＡおよびＩＣチップ４が実装されるセラミック基板からなる実装基板５と、実装基板５とＩＣチップ４との間に介在する熱硬化性樹脂からなるアンダーフィル８とを備えている。
【００２１】
上述の実装基板５は、一面が開放された矩形箱状に形成されており、外底面５ｂ側にＩＣチップ４がフリップチップ実装されるとともに内底面５ａ側にセンサ素子Ａがフリップチップ実装されている。したがって、上述のアンダーフィル８は、実装基板５の外底面５ｂとＩＣチップ４との間に介在している。
【００２２】
ところで、本実施形態の加速度センサモジュールでは、ＩＣチップ４の平面サイズがセンサ素子Ａの平面サイズよりも大きく、センサ素子Ａが実装基板５の内底面５ａ側においてＩＣチップ４の投影面内に収まる形でフリップチップ実装されている（要するに、実装基板５は、一表面側にＩＣチップ４がフリップチップ実装されるとともに他表面側におけるＩＣチップ４の投影面内でセンサ素子Ａがフリップチップ実装されている）。
【００２３】
以下、センサ素子Ａについて詳細に説明してから、加速度センサモジュールについて具体的に説明する。
【００２４】
センサ素子Ａは、第１の半導体基板を用いて形成され後述のセンシング部を有するセンサ基板１と、第２の半導体基板を用いて形成されセンサ基板１のセンシング部に電気的に接続される複数の貫通孔配線２４を有しセンサ基板１の一表面側（図１（ｂ）および図８（ｂ）の上面側）に封着された貫通孔配線形成基板２と、第３の半導体基板を用いて形成されセンサ基板１の他表面側（図１（ｂ）および図８（ｂ）の下面側）に封着されたカバー基板３とを備えている。ここにおいて、センサ基板１および貫通孔配線形成基板２およびカバー基板３の外周形状は矩形状であり、貫通孔配線形成基板２およびカバー基板３はセンサ基板１と同じ外形寸法に形成されている。なお、本実施形態では、貫通孔配線形成基板２およびカバー基板３それぞれがパッケージ用基板を構成している。また、図９（ａ）は図８（ｂ）の要部拡大図、図９（ｂ）は図８（ａ）のＣ−Ｃ’概略断面図である。
【００２５】
上述のセンサ基板１は、シリコン基板からなる支持基板１０ａ上のシリコン酸化膜からなる絶縁層（埋込酸化膜）１０ｂ上にｎ形のシリコン層（活性層）１０ｃを有するＳＯＩウェハを加工することにより形成してあり、貫通孔配線形成基板２は第１のシリコンウェハを加工することにより形成し、カバー基板３は第２のシリコンウェハを加工することにより形成してある。すなわち、本実施形態では、ＳＯＩウェハが第１の半導体基板を構成し、第１のシリコンウェハが第２の半導体基板を構成し、第２のシリコンウェハが第３の半導体基板を構成している。なお、本実施形態では、ＳＯＩウェハにおける支持基板１０ａの厚さを３００μｍ〜５００μｍ程度、絶縁層１０ｂの厚さを０．３μｍ〜１．５μｍ程度、シリコン層１０ｃの厚さを４μｍ〜１０μｍ程度とし、また、第１のシリコンウェハの厚さを２００μｍ〜３００μｍ程度、第２のシリコンウェハの厚さを１００〜３００μｍ程度としてあるが、これらの数値は特に限定するものではない。また、ＳＯＩウェハの主表面であるシリコン層１０ｃの表面は（１００）面としてある。
【００２６】
センサ基板１は、図１０〜図１２に示すように、枠状（本実施形態では、矩形枠状）のフレーム部１１を備え、フレーム部１１の内側に配置される重り部１２が一表面側（図８（ｂ）および図１０（ｂ）の上面側）において可撓性を有する４つの短冊状の撓み部１３を介してフレーム部１１に揺動自在に支持されている。言い換えれば、センサ基板１は、枠状のフレーム部１１の内側に配置される重り部１２が重り部１２から四方へ延長された４つの撓み部１３を介してフレーム部１１に揺動自在に支持されている。ここで、フレーム部１１は、上述のＳＯＩウェハの支持基板１０ａ、絶縁層１０ｂ、シリコン層１０ｃそれぞれを利用して形成してある。これに対して、撓み部１３は、上述のＳＯＩウェハにおけるシリコン層１０ｃを利用して形成してあり、フレーム部１１よりも十分に薄肉となっている。
【００２７】
重り部１２は、上述の４つの撓み部１３を介してフレーム部１１に支持された直方体状のコア部１２ａと、センサ基板１の上記一表面側から見てコア部１２ａの四隅それぞれに連続一体に連結された直方体状の４つの付随部１２ｂとを有している。言い換えれば、重り部１２は、フレーム部１１の内側面に一端部が連結された各撓み部１３の他端部が外側面に連結されたコア部１２ａと、コア部１２ａと一体に形成されコア部１２ａとフレーム部１１との間の空間に配置される４つの付随部１２ｂとを有している。つまり、各付随部１２ｂは、センサ基板１の上記一表面側から見て、フレーム部１１とコア部１２ａと互いに直交する方向に延長された２つの撓み部１３，１３とで囲まれる空間に配置されており、各付随部１２ｂそれぞれとフレーム部１１との間にはスリット１４が形成され、撓み部１３を挟んで隣り合う付随部１２ｂ間の間隔が撓み部１３の幅寸法よりも長くなっている。ここにおいて、コア部１２ａは、上述のＳＯＩウェハの支持基板１０ａ、絶縁層１０ｂ、シリコン層１０ｃそれぞれを利用して形成し、各付随部１２ｂは、ＳＯＩウェハの支持基板１０ａを利用して形成してある。しかして、センサ基板１の上記一表面側において各付随部１２ｂの表面は、コア部１２ａの表面を含む平面からセンサ基板１の上記他表面側（図８（ｂ）および図１０（ｂ）の下面側）へ離間して位置している。なお、センサ基板１の上述のフレーム部１１、重り部１２、各撓み部１３は、リソグラフィ技術およびエッチング技術を利用して形成すればよい。
【００２８】
ところで、図１０（ａ），（ｂ）それぞれの右下に示したように、センサ基板１の上記一表面に平行な面内でフレーム部１１の一辺に沿った一方向をｘ軸の正方向、この一辺に直交する辺に沿った一方向をｙ軸の正方向、センサ基板１の厚み方向の一方向をｚ軸の正方向と規定すれば、重り部１２は、ｘ軸方向に延長されてコア部１２ａを挟む２つ１組の撓み部１３，１３と、ｙ軸方向に延長されてコア部１２ａを挟む２つ１組の撓み部１３，１３とを介してフレーム部１１に支持されていることになる。なお、上述のｘ軸、ｙ軸、ｚ軸の３軸により規定した直交座標では、センサ基板１において上述のシリコン層１０ｃにより形成された部分の表面における重り部１２の中心位置を原点としている。
【００２９】
重り部１２のコア部１２ａからｘ軸の正方向に延長された撓み部１３（図１０（ａ）の右側の撓み部１３）は、コア部１２ａ近傍に２つ１組のピエゾ抵抗Ｒｘ２，Ｒｘ４が形成されるとともに、フレーム部１１近傍に１つのピエゾ抵抗Ｒｚ２が形成されている。一方、重り部１２のコア部１２ａからｘ軸の負方向に延長された撓み部１３（図１０（ａ）の左側の撓み部１３）は、コア部１２ａ近傍に２つ１組のピエゾ抵抗Ｒｘ１，Ｒｘ３が形成されるとともに、フレーム部１１近傍に１つのピエゾ抵抗Ｒｚ３が形成されている。ここに、コア部１２ａ近傍に形成された４つのピエゾ抵抗Ｒｘ１，Ｒｘ２，Ｒｘ３，Ｒｘ４は、ｘ軸方向の加速度を検出するために形成されたもので、平面形状が細長の長方形状であって、長手方向が撓み部１３の長手方向に一致するように形成してあり、図１３における左側のブリッジ回路Ｂｘを構成するように配線（センサ基板１に形成されている拡散層配線、金属配線１７など）によって接続されている。なお、ピエゾ抵抗Ｒｘ１〜Ｒｘ４は、ｘ軸方向の加速度がかかったときに撓み部１３において応力が集中する応力集中領域に形成されている。
【００３０】
また、重り部１２のコア部１２ａからｙ軸の正方向に延長された撓み部１３（図１０（ａ）の上側の撓み部１３）はコア部１２ａ近傍に２つ１組のピエゾ抵抗Ｒｙ１，Ｒｙ３が形成されるとともに、フレーム部１１近傍に１つのピエゾ抵抗Ｒｚ１が形成されている。一方、重り部１２のコア部１２ａからｙ軸の負方向に延長された撓み部１３（図１０（ａ）の下側の撓み部１３）はコア部１２ａ近傍に２つ１組のピエゾ抵抗Ｒｙ２，Ｒｙ４が形成されるとともに、フレーム部１１側の端部に１つのピエゾ抵抗Ｒｚ４が形成されている。ここに、コア部１２ａ近傍に形成された４つのピエゾ抵抗Ｒｙ１，Ｒｙ２，Ｒｙ３，Ｒｙ４は、ｙ軸方向の加速度を検出するために形成されたもので、平面形状が細長の長方形状であって、長手方向が撓み部１３の長手方向に一致するように形成してあり、図１３における中央のブリッジ回路Ｂｙを構成するように配線（センサ基板１に形成されている拡散層配線、金属配線１７など）によって接続されている。なお、ピエゾ抵抗Ｒｙ１〜Ｒｙ４は、ｙ軸方向の加速度がかかったときに撓み部１３において応力が集中する応力集中領域に形成されている。
【００３１】
また、フレーム部１１近傍に形成された４つのピエゾ抵抗Ｒｚ１，Ｒｚ２，Ｒｚ３，Ｒｚ４は、ｚ軸方向の加速度を検出するために形成されたものであり、図１３における右側のブリッジ回路Ｂｚを構成するように配線（センサ基板１に形成されている拡散層配線、金属配線１７など）によって接続されている。ただし、２つ１組となる撓み部１３，１３のうち一方の組の撓み部１３，１３に形成したピエゾ抵抗Ｒｚ１，Ｒｚ４は長手方向が撓み部１３，１３の長手方向と一致するように形成されているのに対して、他方の組の撓み部１３，１３に形成したピエゾ抵抗Ｒｚ２，Ｒｚ３は長手方向が撓み部１３，１３の幅方向（短手方向）と一致するように形成されている。
【００３２】
なお、図８〜図１０では、センサ基板１における金属配線１７のうち第１の接続用接合金属層１９近傍の部位のみを図示してあり、拡散層配線の図示は省略してある。
【００３３】
ここで、センサ基板１の動作の一例について説明する。
【００３４】
いま、センサ基板１に加速度がかかっていない状態で、センサ基板１に対してｘ軸の正方向に加速度がかかったとすると、ｘ軸の負方向に作用する重り部１２の慣性力によってフレーム部１１に対して重り部１２が変位し、結果的にｘ軸方向を長手方向とする撓み部１３，１３が撓んで当該撓み部１３，１３に形成されているピエゾ抵抗Ｒｘ１〜Ｒｘ４の抵抗値が変化することになる。この場合、ピエゾ抵抗Ｒｘ１，Ｒｘ３は引張応力を受け、ピエゾ抵抗Ｒｘ２，Ｒｘ４は圧縮応力を受ける。一般的にピエゾ抵抗は引張応力を受けると抵抗値（抵抗率）が増大し、圧縮応力を受けると抵抗値（抵抗率）が減少する特性を有しているので、ピエゾ抵抗Ｒｘ１，Ｒｘ３は抵抗値が増大し、ピエゾ抵抗Ｒｘ２，Ｒｘ４は抵抗値が減少することになる。したがって、図１３に示した一対の入力端子ＶＤＤ，ＧＮＤ間に外部電源から一定の直流電圧を印加しておけば、図１３に示した左側のブリッジ回路Ｂｘの出力端子Ｘ１，Ｘ２間の電位差がｘ軸方向の加速度の大きさに応じて変化する。同様に、ｙ軸方向の加速度がかかった場合には図１３に示した中央のブリッジ回路Ｂｙの出力端子Ｙ１，Ｙ２間の電位差がｙ軸方向の加速度の大きさに応じて変化し、ｚ軸方向の加速度がかかった場合には図１３に示した右側のブリッジ回路Ｂｚの出力端子Ｚ１，Ｚ２間の電位差がｚ軸方向の加速度の大きさに応じて変化する。しかして、上述のセンサ基板１は、各ブリッジ回路Ｂｘ〜Ｂｚそれぞれの出力電圧の変化を検出することにより、当該センサ基板１に作用したｘ軸方向、ｙ軸方向、ｚ軸方向それぞれの加速度を検出することができる。本実施形態では、重り部１２と各撓み部１３とで可動部を構成しており、各ピエゾ抵抗Ｒｘ１〜Ｒｘ４，Ｒｙ１〜Ｒｙ４，Ｒｚ１〜Ｒｚ４それぞれが、センサ基板１におけるセンシング部を構成している。
【００３５】
ところで、センサ基板１は、図１３に示すように、上述の３つのブリッジ回路Ｂｘ，Ｂｙ，Ｂｚに共通の２つの入力端子ＶＤＤ，ＧＮＤと、ブリッジ回路Ｂｘの２つの出力端子Ｘ１，Ｘ２と、ブリッジ回路Ｂｙの２つの出力端子Ｙ１，Ｙ２と、ブリッジ回路Ｂｚの２つの出力端子Ｚ１，Ｚ２とを備えており、これらの各入力端子ＶＤＤ，ＧＮＤおよび各出力端子Ｘ１，Ｘ２，Ｙ１，Ｙ２，Ｚ１，Ｚ２が、上記一表面側（つまり、貫通孔配線形成基板２側）に第１の接続用接合金属層１９として設けられており、貫通孔配線形成基板２に形成された貫通孔配線２４と電気的に接続されている。すなわち、センサ基板１には、８つの接続用接合金属層１９が形成され、貫通孔配線形成基板２には、８つの貫通孔配線２４が形成されている。なお、８つの第１の接続用接合金属層１９は、外周形状が矩形状（本実施形態では、正方形状）であり、フレーム部１１の周方向に離間して配置されている（矩形枠状のフレーム部１１の４辺それぞれに２つずつ配置されている）。
【００３６】
また、センサ基板１のフレーム部１１上には、フレーム部１１よりも開口面積が大きな枠状（矩形枠状）の第１の封止用接合金属層１８が形成されており、上述の８つの接続用接合金属層１９は、フレーム部１１において第１の封止用接合金属層１８よりも内側に配置されている。要するに、センサ基板１は、第１の封止用接合金属層１８の幅寸法をフレーム部１１の幅寸法に比べて小さく設定し、第１の封止用接合金属層１８と各接続用接合金属層１９とを同一平面上に形成してある。
【００３７】
ここにおいて、センサ基板１は、上記一表面側において上記シリコン層１０ｃ上にシリコン酸化膜とシリコン窒化膜との積層膜からなる絶縁膜１６が形成されており、第１の接続用接合金属層１９および第１の封止用接合金属層１８および金属配線１７は絶縁膜１６の同一レベル面上に同一厚さで形成されている。
【００３８】
また、第１の封止用接合金属層１８および第１の接続用接合金属層１９は、接合用のＡｕ膜と絶縁膜１６との間に密着性改善用のＴｉ膜を介在させてある。言い換えれば、第１の封止用接合金属層１８および第１の接続用接合金属層１９は、絶縁膜１６の同一レベル面上に形成されたＴｉ膜と当該Ｔｉ膜上に形成されたＡｕ膜との積層膜により構成されている。要するに、第１の接続用接合金属層１９と第１の封止用接合金属層１８とは同一の金属材料により形成されているので、第１の接続用接合金属層１９と第１の封止用接合金属層１８とを同時に形成することができるとともに、第１の接続用接合金属層１９と第１の封止用接合金属層１８とを同じ厚さに形成することができる。なお、第１の封止用接合金属層１８および第１の接続用接合金属層１９は、Ｔｉ膜の膜厚を１５〜５０ｎｍ、Ａｕ膜の膜厚を５００ｎｍに設定してあり、金属配線１７の膜厚は１μｍに設定してあるが、これらの数値は一例であって特に限定するものではない。ここにおいて、各Ａｕ膜の材料は、純金に限らず不純物を添加したものでもよい。また、本実施形態では、各Ａｕ膜と絶縁膜１６との間に密着性改善用の密着層としてＴｉ膜を介在させてあるが、密着層の材料はＴｉに限らず、例えば、Ｃｒ、Ｎｂ、Ｚｒ、ＴｉＮ、ＴａＮなどでもよい。
【００３９】
上述の各ピエゾ抵抗Ｒｘ１〜Ｒｘ４，Ｒｙ１〜Ｒｙ４，Ｒｚ１〜Ｒｚ４および上記各拡散層配線は、上記シリコン層１０ｃにおけるそれぞれの形成部位に適宜濃度のｐ形不純物をドーピングすることにより形成されており、上述の金属配線１７は、絶縁膜１６上にスパッタ法や蒸着法などにより成膜した金属膜（例えば、Ａｌ膜、Ａｌ合金膜など）をリソグラフィ技術およびエッチング技術を利用してパターニングすることにより形成されており、金属配線１７は絶縁膜１６に設けたコンタクトホールを通して拡散層配線と電気的に接続されている。また、第１の接続用接合金属層１９と金属配線１７とは、第１の接続用接合金属層１９における金属配線１７との接続部位１９ｂ（図９（ｂ）参照）が、貫通孔配線形成基板２におけるセンサ基板１との対向面に形成された後述の変位空間形成用凹部２１内に位置する形で電気的に接続されている。
【００４０】
貫通孔配線形成基板２は、図１４〜図１６に示すように、センサ基板１側（図８（ｂ）における下面側）の表面に、センサ基板１の重り部１２と各撓み部１３とで構成される可動部の変位空間を確保する上述の変位空間形成用凹部２１が形成されるとともに、変位空間形成用凹部２１の周部に厚み方向に貫通する複数（本実施形態では、８つ）の貫通孔２２が形成されており、厚み方向の両面および貫通孔２２の内面とに跨って熱絶縁膜（シリコン酸化膜）からなる絶縁膜２３が形成され、貫通孔配線２４と貫通孔２２の内面との間に絶縁膜２３の一部が介在している。ここにおいて、貫通孔配線形成基板２の８つの貫通孔配線２４は当該貫通孔配線形成基板２の周方向に離間して形成されている。また、貫通孔配線２４の材料としては、Ｃｕを採用しているが、Ｃｕに限らず、例えば、Ｎｉなどを採用してもよい。
【００４１】
また、貫通孔配線形成基板２は、センサ基板１側の表面において変位空間形成用凹部２１の周部に、各貫通孔配線２４それぞれと電気的に接続された複数（本実施形態では、８つ）の第２の接続用接合金属層２９が形成されている。貫通孔配線形成基板２は、センサ基板１側の表面の周部には、全周に亘って枠状（矩形枠状）の第２の封止用接合金属層２８が形成されており、上述の８つの第２の接続用接合金属層２９は、外周形状が細長の長方形状であり、第２の封止用接合金属層２８よりも内側に配置されている。ここにおいて、第２の接続用接合金属層２９は、長手方向の一端部が貫通孔配線２４と接合されており、他端側の部位がセンサ基板１の金属配線１７よりも外側でセンサ基板１の第１の接続用接合金属層１９と接合されて電気的に接続されるように配置してある。要するに、貫通孔配線形成基板２の周方向において貫通孔配線２４と当該貫通孔配線２４に対応する第１の接続用接合金属層１９との位置をずらしてあり、第２の接続用接合金属層２９を、長手方向が第２の封止用接合金属層２８の周方向に一致し且つ貫通孔配線２４と第１の接続用接合金属層１９とに跨る形で配置してある。
【００４２】
また、第２の封止用接合金属層２８および第２の接続用接合金属層２９は、接合用のＡｕ膜と絶縁膜２３との間に密着性改善用のＴｉ膜を介在させてある。言い換えれば、第２の封止用接合金属層２８および第２の接続用接合金属層２９は、絶縁膜２３の同一レベル面上に形成されたＴｉ膜と当該Ｔｉ膜上に形成されたＡｕ膜との積層膜により構成されている。要するに、第２の接続用接合金属層２９と第２の封止用接合金属層２８とは同一の金属材料により形成されているので、第２の接続用接合金属層２９と第２の封止用接合金属層２８とを同時に形成することができるとともに、第２の接続用接合金属層２９と第２の封止用接合金属層２８とを同じ厚さに形成することができる。なお、第２の封止用接合金属層２８および第２の接続用接合金属層２９は、Ｔｉ膜の膜厚を１５〜５０ｎｍ、Ａｕ膜の膜厚を５００ｎｍに設定してあるが、これらの数値は一例であって特に限定するものではない。ここにおいて、各Ａｕ膜の材料は、純金に限らず不純物を添加したものでもよい。また、本実施形態では、各Ａｕ膜と絶縁膜２３との間に密着性改善用の密着層としてＴｉ膜を介在させてあるが、密着層の材料はＴｉに限らず、例えば、Ｃｒ、Ｎｂ、Ｚｒ、ＴｉＮ、ＴａＮなどでもよい。
【００４３】
また、貫通孔配線形成基板２におけるセンサ基板１側とは反対側の表面には、各貫通孔配線２４それぞれと電気的に接続された複数の外部接続用電極２５が形成されている。ここで、各外部接続用電極２５は、厚み方向に積層されたＴｉ膜とＣｕ膜とＮｉ膜とＡｕ膜との積層膜により構成されており、最上層がＡｕ膜となっている。なお、各外部接続用電極２５の外周形状は矩形状となっている。
【００４４】
カバー基板３は、図１７に示すように、センサ基板１との対向面に、重り部１２の変位空間を形成する所定深さ（例えば、５μｍ〜１０μｍ程度）の凹部３１を形成してある。ここにおいて、凹部３１は、リソグラフィ技術およびエッチング技術を利用して形成してある。なお、本実施形態では、カバー基板３におけるセンサ基板１との対向面に、重り部１２の変位空間を形成する凹部３１を形成してあるが、重り部１２のコア部１２ａおよび各付随部１２ｂのうち支持基板１０ａを利用して形成されている部分の厚さを、フレーム部１１において支持基板１０ａを利用して形成されている部分の厚さに比べて、センサ基板１の厚み方向への重り部１２の許容変位量分だけ薄くするようにすれば、カバー基板３に凹部３１を形成しなくても、センサ基板１の上記他表面側には上記他表面に交差する方向への重り部１２の変位を可能とする隙間が重り部１２とカバー基板３との間に形成される。
【００４５】
ところで、上述のセンサ素子Ａにおけるセンサ基板１と貫通孔配線形成基板２とは、第１の封止用接合金属層１８と第２の封止用接合金属層２８とが接合されるとともに、第１の接続用接合金属層１９と第２の接続用接合金属層２９とが接合され、センサ基板１とカバー基板３とは、互いの対向面の周部同士が接合されている。また、センサ素子Ａは、センサ基板１を多数形成したＳＯＩウェハと貫通孔配線形成基板２を多数形成した第１のシリコンウェハおよびカバー基板３を多数形成した第２のシリコンウェハとをウェハレベルで接合してから、ダイシング工程により所望のチップサイズのセンサ素子Ａに切断されている。したがって、貫通孔配線形成基板２とカバー基板３とがセンサ基板１と同じ外形サイズとなり、小型のチップサイズパッケージを実現できるとともに、製造が容易になる。
【００４６】
ここにおいて、センサ基板１と貫通孔配線形成基板２およびカバー基板３との接合方法としては、センサ基板１の残留応力を少なくするためにより低温での接合が可能な接合方法を採用することが望ましく、本実施形態では、常温接合法を採用している。常温接合法では、接合前に互いの接合面へアルゴンのプラズマ若しくはイオンビーム若しくは原子ビームを真空中で照射して各接合面の清浄化・活性化を行ってから、接合面同士を接触させ、常温下で接合する。本実施形態では、上述の常温接合法により、常温下で適宜の荷重を印加して、第１の封止用接合金属層１８と第２の封止用接合金属層２８とを接合するのと同時に、第１の接続用接合金属層１９と第２の接続用接合金属層２９とを接合しており、また、上述の常温接合法により、常温下でセンサ基板１のフレーム部１１とカバー基板３の周部とを接合している。しかして、本実施形態におけるセンサ素子Ａでは、センサ基板１と貫通孔配線基板２との間の接合がＡｕ−Ａｕ接合となり、センサ基板１とカバー基板３との接合がＳｉ−Ｓｉ接合となっている。また、本実施形態では、センサ基板１と貫通孔配線形成基板２およびカバー基板３とが同じ半導体材料であるＳｉにより形成されているので、センサ基板１と貫通孔配線形成基板２およびカバー基板３との線膨張率差に起因した応力（センサ基板１における残留応力）が上記ブリッジ回路の出力信号に与える影響を低減でき、貫通孔配線形成基板２およびカバー基板３がセンサ基板１と異なる材料により形成されている場合に比べて、センサ特性のばらつきを低減することができる。なお、センサ基板１は、ＳＯＩウェハを加工して形成してあるが、ＳＯＩウェハに限らず、例えば、シリコンウェハを加工して形成してもよい。
【００４７】
また、上述のＩＣチップ４は、センサ素子Ａの出力信号を増幅する増幅回路、出力信号のオフセット（オフセット電圧）を調整するオフセット調整回路、出力信号の温度補償を行う温度補償回路などが集積化されたＡＳＩＣ（Application  Specific  ＩＣ）であり、シリコンウェハを用いて形成してある。
【００４８】
また、実装基板５は、上述のように一面が開放された矩形箱状に形成されており、内部空間５１にセンサ素子Ａが収納されて内底面５ａ側にセンサ素子Ａが配置されるとともに、外底面５ｂ側にＩＣチップ４が配置される。ここで、本実施形態の加速度センサモジュールでは、センサ素子Ａの外部接続用電極２５と実装基板５の内底面５ａ側のセンサ接続用電極５３とが、外部接続用電極２５上に形成されたスタッドバンプからなるバンプ９ａおよびセンサ接続用電極５３上に形成されたスタッドバンプからなるバンプ９ｂおよび介して接合され電気的に接続され（図１（ｂ）および図２参照）、すなわち、センサ素子Ａと実装基板５とは、接続関係が規定された外部接続用電極２５とセンサ接続用電極５３との組ごとに実装基板５の厚み方向において重なる複数（本実施形態では、２つ）のバンプ９ａ，９ｂを介して接合されている。また、本実施形態の加速度センサモジュールでは、ＩＣチップ４のパッド４１と実装基板５の外底面５ｂ側のＩＣ接続用電極５４とがＩＣチップ４のパッド４１に設けたスタッドバンプからなるバンプ７を介して接合されて電気的に接続されている。ここにおいて、各バンプ９ａ，９ｂ，７は、材料としてＡｕを採用しており、スタッドバンプ法（ボールバンプ法とも呼ばれている）により形成されたスタッドバンプにより構成されているが、めっき法により形成されたバンプ（所謂めっきバンプ）でもよい。また、実装基板５は、内底面５ａと外底面５ｂとの間の部位に、センサ接続用電極５３とＩＣ接続用電極５４とを電気的に接続する配線（図示せず）が埋設され、実装基板５の周壁には、ＩＣ接続用電極５４と実装基板５の一面側に形成されたリード電極５５とを電気的に接続する配線（図示せず）が埋設されている。
【００４９】
また、本実施形態の加速度センサモジュールでは、ＩＣチップ４の平面サイズが実装基板５の内底面５ａのサイズよりも大きく、且つ、ＩＣチップ４の投影面内に内底面５ａが収まる形でＩＣチップ４が実装基板５の外底面５ｂ側にフリップチップ実装されている。
【００５０】
以下、本実施形態の加速度センサモジュールの製造方法について図５〜図７を参照しながら説明する。
【００５１】
まず、実装基板５の内底面５ａ上に設けられている各センサ接続用電極５３の表面上にスタッドバンプ法によって複数のバンプ９ｂを形成するバンプ形成工程を行うことにより、図５（ａ）に示す構造を得る。
【００５２】
その後、各バンプ９ｂの先端部を加圧して各バンプ９ｂの先端部を平坦化（レベリング）する平坦化工程（レベリング工程）を行ってから、実装基板５の外底面５ｂ側に未硬化の熱硬化性樹脂からなるシート状のアンダーフィル用樹脂材８１を貼着する樹脂材貼着工程を行うことにより、図５（ｂ）に示す構造を得る。なお、樹脂材貼着工程は、アンダーフィル用樹脂材８１を適宜温度に加熱した状態で適宜荷重を印加する。
【００５３】
次に、ＩＣチップ４の各パッド４１それぞれの表面上にスタッドバンプ法により形成してある複数のバンプ７（図６参照）と実装基板５の複数のＩＣ接続用電極５４との位置合わせを行ってから、ＩＣチップ４と実装基板５の外底面５ｂとの間にアンダーフィル用樹脂材８１を介在させた形でＩＣチップ４に対して加熱および荷重の印加を行うことでＩＣチップ４のパッド４１上のバンプ７を実装基板５のＩＣ接続用電極５４に熱圧着することでＩＣチップ４を実装基板５にフリップチップ実装するのと同時にアンダーフィル用樹脂材８１を熱硬化させることでアンダーフィル８を形成する第１の実装工程を行うことにより、図５（ｃ）に示す構造を得る。
【００５４】
その後、センサ素子Ａの各外部接続用電極２５それぞれの表面上にスタッドバンプ法により形成してある複数のバンプ９ａ（図７参照）および実装基板５の各センサ接続用電極５３それぞれの表面上に形成されている上述の複数のバンプ９ｂそれぞれにアルゴンのプラズマ若しくはイオンビーム若しくは原子ビームを真空中で照射して表面を清浄化・活性化する活性化工程を行ってから、センサ素子Ａの各外部接続用電極２５それぞれの表面上のバンプ９ａと実装基板５の各センサ接続用電極５３それぞれの表面上のバンプ９ｂとが実装基板５の厚み方向において重なるように位置合わせしセンサ素子Ａに対して常温で荷重を印加して厚み方向において重なるバンプ９ａ，９ｂ同士を常温接合することでセンサ素子Ａを実装基板５にフリップチップ実装する第２の実装工程を行うことにより、図５（ｄ）に示す構造の加速度センサモジュールを得る。
【００５５】
上述の加速度センサモジュールの製造方法によれば、実装基板５の内底面５ａ側のセンサ接続用電極５３上にバンプ９ｂを形成し各バンプ９ｂの先端部を平坦化してから、第１の実装工程において平面サイズの大きなＩＣチップ４を実装基板５の外底面５ｂ側に実装した後、第２の実装工程において平面サイズの小さなセンサ素子Ａの外部接続用電極２５上のバンプ９ａとセンサ接続用電極５３上のバンプ９ｂとを常温接合するようにしているので、センサ素子Ａと実装基板５との線膨張率差に起因した残留応力の低減が可能となり、センサ素子Ａのセンサ特性の変動を抑制することができる。また、第２の実装工程において実装基板５の内底面５ａ側でセンサ素子Ａの外部接続用電極２５とセンサ接続用電極５３とを実装基板５の厚み方向において重なるバンプ９ａ，９ｂを介して接合する際には、ＩＣチップ４と実装基板５との間にアンダーフィル８が介在しているので、センサ素子Ａへの荷重の印加時にＩＣチップ４が破損したりＩＣチップ４と実装基板５との接続信頼性が低下するのを防止することができるとともに、センサ素子Ａと実装基板５との接続信頼性を高めることができる。
【００５６】
以上説明した本実施形態の加速度センサモジュールでは、センサ素子Ａが実装基板５にフリップチップ実装されるので、図２０に示した従来構成における実装基板１０５に比べて実装基板５の平面サイズの小型化を図れ、しかも、センサ素子Ａと実装基板５とは、接続関係が規定された外部接続用電極２５とセンサ接続用電極５３との組ごとに実装基板５の厚み方向において重なる複数のバンプ９ａ，９ｂを介して接合されているので、実装基板５や当該実装基板５を実装する回路基板からセンサ素子Ａへ伝達される応力を低減することができる。また、本実施形態の加速度センサモジュールでは、センサ素子Ａと実装基板５とが、外部接続用電極２５の表面上に形成されたバンプ９ａおよびセンサ接続用電極５３の表面上に形成されたバンプ９ｂを介して接合されているので、外部接続用電極２５およびセンサ接続用電極５３それぞれとバンプ９ａ，９ｂとの接合信頼性を高めることができる。また、本実施形態の加速度センサモジュールでは、センサ素子Ａと実装基板５とが常温接合されているので、センサ素子Ａと実装基板５との線膨張率差に起因した応力をより低減できる。
【００５７】
ところで、上述の実施形態では、センサ素子Ａと実装基板５とが、外部接続用電極２５の表面上に形成されたバンプ９ａおよびセンサ接続用電極５３の表面上に形成されたバンプ９ｂを介して接合されているが、図１８に示すように外部接続用電極２５の表面側で実装基板５の厚み方向において重なるように形成した複数（図示例では、２つ）のバンプ９ａ，９ｂを介して接合するようにしてもよいし、あるいは、センサ接続用電極５３の表面側に実装基板５の厚み方向において重なるように形成した複数のバンプを介して接合するようにしてもよく、これらの場合には、重ね合わせるバンプ９ａ，９ｂ同士の位置合わせが容易になる。なお、図１８に示した例では、外部接続用電極２５の表面上にスタッドバンプ法によりバンプ９ａを形成してから、当該バンプ９ａの先端部を平坦化した後で、バンプ９ａ上にバンプ９ｂを形成してある。
【００５８】
（実施形態２）
本実施形態のセンサモジュールは、実施形態１と略同じ構成を有する加速度センサモジュールであり、図１９に示すように、リード電極５５が矩形箱状の実装基板５の外底面５ｂ側に形成されるとともに、ＩＣ接続用電極５４が実装基板５の上記一面側に形成され、ＩＣチップ４が実装基板５の上記一面を閉塞する形で配設されている点などが相違する。なお、実施形態１と同様の構成要素には同一の符号を付して説明を省略する。
【００５９】
本実施形態の加速度センサモジュールでは、ＩＣチップ４のパッド４１上のバンプ７と実装基板５のＩＣ接続用電極５４との接合部を補強するとともにＩＣチップ４の周部を全周に亘って実装基板５に封着する熱硬化性樹脂からなる封止部８２が形成されている。したがって、本実施形態では、実装基板５とＩＣチップ４とでセンサ素子Ａを収納するパッケージを構成することができる。
【００６０】
以上説明した本実施形態の加速度センサモジュールでは、実施形態１と同様に、センサ素子Ａが実装基板５にフリップチップ実装されるので、回路基板への実装面積をより小さくすることができ且つ実装基板５や回路基板からセンサ素子Ａへ伝達される応力を低減することができる。
【００６１】
上述の各実施形態では、実装基板５の厚み方向において重ねるバンプの数が２つであるが、当該厚み方向に重ねるバンプの数は２つに限らず、複数であればよい。また、上記各実施形態では、センサエレメントとしてピエゾ抵抗形の加速度センサエレメントを例示したが、本発明の技術思想は、ピエゾ抵抗形の加速度センサエレメントに限らず、例えば、容量形の加速度センサエレメントやジャイロセンサエレメントなど他のセンサエレメントにも適用でき、容量形の加速度センサエレメントやジャイロセンサエレメントでは、可動電極を設けた重り部や可動電極を兼ねる重り部などが可動部を構成し、固定電極と可動電極とによりセンシング部を構成することとなる。
【図面の簡単な説明】
【００６２】
【図１】実施形態１の加速度センサモジュールを示し、（ａ）は概略平面図、（ｂ）は一部破断した概略正面図である。
【図２】同上の加速度センサモジュールにおける要部拡大図である。
【図３】同上の加速度センサモジュールの概略下面図である。
【図４】同上の加速度センサモジュールの一部破断した概略斜視図である。
【図５】同上の加速度センサモジュールの製造方法を説明するための主要工程断面図である。
【図６】同上の加速度センサモジュールの製造方法の説明図である。
【図７】同上の加速度センサモジュールの製造方法の説明図である。
【図８】同上におけるセンサ素子を示し、（ａ）は概略平面図、（ｂ）は（ａ）のＤ−Ｄ’概略断面図である。
【図９】同上におけるセンサ素子を示し、（ａ）は図８（ｂ）の要部拡大図、（ｂ）は図８（ａ）のＣ−Ｃ’概略断面図である。
【図１０】同上におけるセンサ基板を示し、（ａ）は概略平面図、（ｂ）は（ａ）のＢ−Ｄ’概略断面図である。
【図１１】同上におけるセンサ基板を示し、（ａ）は図１０（ａ）のＤ−Ｄ’概略断面図、（ｂ）は図１０（ａ）のＣ−Ｃ’概略断面図である。
【図１２】同上におけるセンサ基板を示す概略下面図である。
【図１３】同上におけるセンサ基板の回路図である。
【図１４】同上における貫通孔配線形成基板を示し、（ａ）は概略平面図、（ｂ）は（ａ）のＤ−Ｄ’概略断面図である。
【図１５】同上における貫通孔配線形成基板を示し、図１４（ｂ）の要部拡大図である。
【図１６】同上における貫通孔配線形成基板の下面図である。
【図１７】同上におけるカバー基板を示し、（ａ）は概略平面図、（ｂ）は（ａ）のＤ−Ｄ’概略断面図である。
【図１８】同上の他の構成例の要部拡大図である。
【図１９】実施形態２の加速度センサモジュールの概略断面図である。
【図２０】従来例を示す概略断面図である。
【符号の説明】
【００６３】
Ａ  センサ素子
４  ＩＣチップ
５  実装基板
５ａ  内底面
５ｂ  外底面
９ａ  バンプ
９ｂ  バンプ
２５  外部接続用電極
５３  センサ接続用電極
５５  リード電極
【図１】
0004715503.tif 000002
【図２】
0004715503.tif 000003
【図３】
0004715503.tif 000004
【図４】
0004715503.tif 000005
【図５】
0004715503.tif 000006
【図６】
0004715503.tif 000007
【図７】
0004715503.tif 000008
【図８】
0004715503.tif 000009
【図９】
0004715503.tif 000010
【図１０】
0004715503.tif 000011
【図１１】
0004715503.tif 000012
【図１２】
0004715503.tif 000013
【図１３】
0004715503.tif 000014
【図１４】
0004715503.tif 000015
【図１５】
0004715503.tif 000016
【図１６】
0004715503.tif 000017
【図１７】
0004715503.tif 000018
【図１８】
0004715503.tif 000019
【図１９】
0004715503.tif 000020
【図２０】
0004715503.tif 000021